(57)【要約】【課題】安価な構成で、使用性、信頼性、収納性に優れた電気掃除機を提供する。【解決手段】本体１と、一端が前記本体１に着脱自在に接続されるホース２と、一端が前記ホース２の他端に固定接続され、他端が塵埃吸引用のノズル３に着脱自在に接続される延長管４とを備えたもので、ホース２と延長管４との間の着脱機構が不要となり、関連する部品を廃止し、製品の重量、コストを削減し、さらに収納時の高さも低くすることができる。また、安価でありながら使用性や信頼性の高い電気掃除機を提供することができる。【選択図】図１
2005237406.tif 000002
【特許請求の範囲】
【請求項１】
本体と、一端が前記本体に着脱自在に接続されるホースと、一端が前記ホースの他端に固定接続され、他端が塵埃吸引用のノズルに着脱自在に接続される延長管とを備えた電気掃除機。
【請求項２】
延長管のホース側に把手部を設けた請求項１記載の電気掃除機。
【請求項３】
延長管を伸縮自在な構成とした請求項１または２記載の電気掃除機。
【請求項４】
延長管を、ホースと接続された外管、前記外管内を摺動する内管で形成し、前記内管を前記外管内で摺動させたとき、前記内管の端部が、前記外管と前記ホースとの接続部より前記ホース側に移動しないように構成した請求項１〜３のいずれか１項に記載の電気掃除機。
【請求項５】
延長管を、ホースと接続された外管、前記外管内を摺動する内管で形成し、前記内管を前記外管内に最も挿入したとき、前記内管の前記ホース側端部が、前記外管と前記ホースとの接続部より前記ホース側に位置するように構成した請求項１〜３のいずれか１項に記載の電気掃除機。
【請求項６】
内管のホース側端部の略全周に丸みを施した請求項５記載の電気掃除機。
【請求項７】
丸みを施した部分をフランジ形状とした請求項６記載の電気掃除機。
【請求項８】
内管を弾性材料にて形成し、前記内管のホース側端部の略長手方向に切り欠き部を１本、或いはそれ以上設けた請求項５〜７のいずれか１項に記載の電気掃除機。
【請求項９】
内管のホース側端部の略全周に軟質部材を設けた請求項５〜８のいずれか１項に記載の電気掃除機。
【請求項１０】
内管をホース側に押し込んだとき、前記内管のホース側端部が前記ホースの長手方向で少なくとも略中央付近まで達するように構成した請求項５〜９のいずれか１項に記載の電気掃除機。
【発明の詳細な説明】
【技術分野】
【０００１】
本発明は電気掃除機に関するもので、特に延長管とホースの接続に関するものである。
【背景技術】
【０００２】
従来のこの種の電気掃除機について図６、図７を用いて説明する。
【０００３】
図６は、従来の電気掃除機の使用時における全体側面図で、図７は、同電気掃除機の収納時の状態を示すものである。
【０００４】
図において、掃除機本体２０１の前部にホース２０２の一端が接続され、そのホース２０２の他端には把手部２０３ａと着脱機構２１０を有する先端パイプ２０３が設けられている。２０４は伸縮自在の延長管で、一端は着脱機構２１０を介して先端パイプ２０３に、他端は床面の塵埃を吸引する床ノズル２０８にそれぞれ着脱自在に接続されている。延長管２０４は、外管２０５と、その外管２０５内を摺動自在に移動する内管２０６から構成されている(例えば、特許文献１参照)。
【０００５】
そして、上記電気掃除機の収納時には、内管２０６は、その外管２０５側の内管端部２０６ａが外管２０５のホース２０２側の外管端部２０５ａの近傍まで、外管２０５に挿入されている。
【特許文献１】特開平９−２４００３号公報
【発明の開示】
【発明が解決しようとする課題】
【０００６】
しかしながら、上記従来の電気掃除機では、ホース２０２と延長管２０４との接続に先端パイプ２０３が不可欠で、そのため着脱部が多く、また部品数、部品重量、部品コストがかさみ、製品の品質確保に必要な管理項目や評価項目も多く必要であった。また、電気掃除機を収納する際、床面から把手部２０３ａ先端までの寸法Ｈ2は、長さｌ2’の先端パイプ２０３が介在する分、高くならざるを得ず、高い収納スペースが必要であった。さらに、図７（ａ）に示すように、延長管２０４を縮めても、また、（ｂ）に示すように、延長管２０４を伸ばした時も、ホース２０２にたるみが生じ、後片付作業が非常に煩わしかった。
【０００７】
本発明は上記課題を解決するもので、部品数と、それに伴う重量、コストなどを削減でき、低価格でありながら使用性や信頼性の高い電気掃除機を提供することを目的とするものである。
【課題を解決するための手段】
【０００８】
前記従来の課題を解決するために、本発明の電気掃除機は、本体と、一端が前記本体に着脱自在に接続されるホースと、一端が前記ホースの他端に固定接続され、他端が塵埃吸引用のノズルに着脱自在に接続される延長管とを備えたもので、前記延長管と前記ホースとの間の着脱機構が不用になるので、重量、コストを削減し、しかも安価でありながら使用性や信頼性の高い電気掃除機を提供することができる。さらに、着脱機構が廃止されることにより、電気掃除機の収納時の高さも低く抑えることができる。
【発明の効果】
【０００９】
本発明の電気掃除機は、構成が簡素で、使用性や信頼性がたかく、さらに収納性にも優れているものである。
【発明を実施するための最良の形態】
【００１０】
第１の発明は、本体と、一端が前記本体に着脱自在に接続されるホースと、一端が前記ホースの他端に固定接続され、他端が塵埃吸引用のノズルに着脱自在に接続される延長管とを備えたもので、前記延長管と前記ホースとの間の着脱機構が不用になるので、重量、コストを削減し、しかも安価でありながら使用性や信頼性の高い電気掃除機を提供することができる。さらに、着脱機構が廃止されることにより、電気掃除機の収納時の高さも低く抑えることができる。
【００１１】
第２の発明は、特に、第１の発明の延長管のホース側に操作用の把手部を設けたもので、掃除の際、従来同様に把手部を用いてノズルなどを容易に操作することができる。
【００１２】
第３の発明は、特に、第１または第２の発明の延長管を伸縮自在な構成としたもので、従来の先端パイプに相当する部分も、延長管の伸縮時の伸縮代（挿入代）の一部とすることができるので、最大伸張長さを短縮することなく、短縮時の延長管の全長を短くすることができ、電気掃除機の収納時の必要寸法を小さくすることができる。
【００１３】
第４の発明は、特に、第１〜３のいずれか１つの発明の延長管を、ホースと接続された外管、前記外管内を摺動する内管で形成し、前記内管を前記外管内で摺動させたとき、前記内管の端部が、前記外管と前記ホースとの接続部より前記ホース側に移動しないように構成したもので、前記内管の端部によりホースの内面が損傷を受けることがないので、耐久性に優れた電気掃除機を提供することができる。
【００１４】
第５の発明は、特に、第１〜３のいずれか１つの発明の延長管を、ホースと接続された外管、前記外管内を摺動する内管で形成し、前記内管を前記外管内に最も挿入したとき、前記内管の前記ホース側端部が、前記外管と前記ホースとの接続部より前記ホース側に位置するように構成したもので、短縮時の延長管先端からホースとの接続部までの全長を短くすることができ、電気掃除機の収納時の必要寸法を小さくすることができる。
【００１５】
第６の発明は、特に、第５の発明の内管のホース側端部の略全周に丸みを施したもので、前記内管の端部により前記ホースの内面が損傷を受け難くなり、耐久性に優れた電気掃除機を提供することができる。
【００１６】
第７の発明は、特に、第６の発明の丸みを施した部分をフランジ形状としたもので、フランジのないものと比較してより寸法の大きな丸み加工を施すことができるので、内管の端部によりホースの内面が損傷を受ける可能性がさらに低減され、耐久性に優れた電気掃除機を提供することができる。
【００１７】
第８の発明は、特に、第５〜７のいずれか１つの発明の内管を弾性材料にて形成し、前記内管のホース側端部の略長手方向に切り欠き部を１本、或いはそれ以上設けたもので、前記内管の端部が容易に撓むのでホースの内面が損傷を受ける可能性がさらに低減され、耐久性に優れた電気掃除機を提供することができる。
【００１８】
第９の発明は、特に、第５〜８のいずれか１つの発明の内管のホース側端部の略全周に軟質部材を設けたもので、前記内管の端部によりホースの内面が損傷を受ける可能性が一層低減され、耐久性に優れた電気掃除機を提供することができる。
【００１９】
第１０の発明は、特に、第５〜９のいずれか１つの発明の内管をホース側に押し込んだとき、前記内管のホース側端部が前記ホースの長手方向で少なくとも略中央付近まで達するように構成したもので、電気掃除機の収納時にホースをしっかりと固定したい場合、前記内管がホース内部で芯の役目をし直線状になり、すっきりと収納することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における電気掃除機の使用時の全体側面図、図２は同電気掃除機の収納時の側面図を示すものである。
【００２２】
図において、電気掃除機本体１（以下「本体１」という）は、前方に塵埃を集積する集塵部１ａを、後方に電動送風機１ｂをそれぞれ内蔵し、さらに前部にホース２の一端が接続される。そのホース２の他端は伸縮自在の延長管４に直接接続され、その延長管４の他端は床面の塵埃を吸引するノズル３に着脱自在に接続されている。
【００２３】
延長管４は、ホース２側端部に使用時に握る把手部７を一体的に有しホース２に着脱機構を介することなく直接接続された外管６と、その外管６内を摺動自在に移動する内管５から主に構成されている。
【００２４】
図２は、本実施の形態における電気掃除機を収納した状態を示すもので、延長管４は縮められた状態、すなわち、内管５は、その内管端部５ａが外管５のホース２側の外管端部６ａの近傍に達するまで、外管６に挿入されている。近年、図示のように本体１を床面に立て、本体１と、延長管４もしくはノズル３の間に設けた嵌合部８によって互いに固定するといった形態の収納状態をとる製品が数多く存在する。また、この状態において内管５のホース２側の内管端部５ａが、ホース２の内部に侵入できないように各部の寸法が規制されている。
【００２５】
以上のように、本実施の形態によれば、延長管４は、ホース２に先端パイプや着脱機構を介さずに接続されることにより、ホース２の一端に延長管４を着脱自在に接続するための部品が不要になり、構成が簡素となることで手元にかかる重量の低減により使用性の向上やコスト低減を図ることができる。また、収納時において、外管６内での内管５の挿入寸法が従来のｌ2（図７参照）と本実施の形態のｌ1と同一としても、従来の先端パイプの寸法ｌ2’の部分がないので、床面から把手部２０３ａの先端までの高さＨ1が従来の高さＨ2より低くなり、収納性に優れた電気掃除機を提供することができる。
【００２６】
また、従来の先端パイプの長さｌ2’の部分を内管５の挿入代（伸縮代）の一部にすれば、延長管４の最大伸張長さを短縮することなく、短縮時の延長管４の全長を短くすることができ、収納時の全体高さを低くすることができる。
【００２７】
また延長管４を短縮した状態でもホース２の内部に内管５が侵入しないので、内管５を樹脂ブロー成形品で形成し、端部がカットしただけで角のある状態であったり、或いは金属などの硬度の高いパイプで形成した場合でも、内管端部５ａがホース２に損傷を与える心配がなく、耐久性を低下させることがない。
【００２８】
また、外管６のホース２側に操作用の把手部７を設けているので、掃除の際、従来同様にノズル３を容易に操作することができる。
【００２９】
なお、本実施の形態１における延長管４の、内管５と外管６との寸法構成については、着脱機構を用いて、延長管４がホース２に接続される構成においても効果を有するものである。
【００３０】
（実施の形態２）
図３は、本発明の第２の実施の形態における電気掃除機の使用時の全体側面図、図４は同電気掃除機の収納時の側面図、図５は同電気掃除機に接続された延長管とホースとの接続部の断面図である。なお、上記第１の実施の形態と同一部分については、同一符号を付してその説明を省略する。
【００３１】
本実施の形態と上記第１の実施の形態とは、上記第１の実施の形態では、延長管４の内管５の長さを外管６に収まる程度の長さとしたが、本実施の形態では、延長管４の全長の大部分を内管５が占め、一方外管６の長さを短くした、点で異なる。
【００３２】
図５において、内管５を弾性の高い樹脂材料により形成するとともに、内管端部５ａに切り欠き部５ｂを長手方向に設け、更にその外周には軟質素材により形成されるクッション９が全周に渡ってフランジ状に取り付けられている。またこのクッション９のホース２に相対する部分にはＲ加工（丸み）が施されており、外径は内管５の外径より大きく、外管６の内径よりもわずかに小さく、さらにホース２の内径より小さく設定されている。
【００３３】
以上のように構成された電気掃除機について、以下その動作、作用を説明する。
【００３４】
電気掃除機の収納状態では、図４に示すように、延長管４は縮められた状態、すなわち内管５は外管６を貫通し、さらに内管端部５ａがホース２の全長のほぼ中央近傍に達するまで挿入されている。その結果、ホース２の内管５が挿入されていない残りの部分（右側）も図示の通り延長管４に沿ってほぼ直線状に保持される。
【００３５】
以上のように、本実施の形態においては、延長管４が縮められた状態で、内管５が外管６を貫通し、さらに内管端部５ａがホース２の全長の中央近傍に達するまで挿入されることにより、従来収納時に発生していたホース２のたるみをなくすことができ、後片付け作業が容易になる。
【００３６】
また内管端面５ａにＲ加工を施すことで、延長管４が内管５の一部がホース２の内部に侵入するまで短縮された状態でも、内管端部５ａによりホース２の内面が損傷を受けることが無く、また伸ばした状態から縮めて行く過程においても、内管端部５ａがホース２の蛇腹形状部に引っ掛かり難くなり、また収納状態における見た目のすっきり感が高く、収納性を高めることができる。
【００３７】
さらに、内管端部５ａの略全周に渡って軟質材料により形成されるクッション９を設けたので、内管端部５ａによりホース２の内面が損傷を受ける可能性がさらに低減され、ホース２の耐久性を向上させることができる。また、クッション９をフランジ状に設けることにより丸み部分を大きく形成することができ、ホース２の内面の耐久性が一層向上するものである。
【００３８】
さらに、内管５を弾性を有する材料にて形成し、内管端部５ａに切り欠き部５ｂを設けたので、内管端部５ａがホース２内に挿入された時に容易に撓み、ホース２の内面が損傷を受ける可能性がさらに低減され、耐久性に優れた電気掃除機を提供することができる。
【００３９】
なお、本実施の形態２における延長管４の、内管５と外管６との寸法構成については、着脱機構を用いて、延長管４がホース２に接続される構成においても効果を有するものである。
【産業上の利用可能性】
【００４０】
以上のように、本発明にかかる電気掃除機は、簡単な構成で、部品数、重量、コストを削減でき、しかも収納性にすぐれているもので、ホースや管類の脱着、接続を必要とする各種機器、装置に適用できる。
【図面の簡単な説明】
【００４１】
【図１】本発明の第１の実施の形態における電気掃除機の使用時の全体側面図
【図２】同電気掃除機の収納時の側面図
【図３】本発明の第２の実施の形態における電気掃除機の使用時の全体側面図
【図４】同電気掃除機の収納時の側面図
【図５】同電気掃除機の延長管とホースとの接続部の断面図
【図６】従来の電気掃除機の使用時の全体側面図
【図７】（ａ）同電気掃除機の収納時の側面図（延長管が縮んだ状態）（ｂ）同電気掃除機の収納時の側面図（延長管を伸ばした状態）
【符号の説明】
【００４２】
１    本体
１ａ  集塵部
１ｂ  電動送風機
２    ホース
３    ノズル
４    延長管
５    内管
５ａ  内管端部
５ｂ  切り欠き部
６    外管
６ａ  外管端部
７    把手部（グリップ）
９    クッション
【図１】
2005237406.tif 000003
【図２】
2005237406.tif 000004
【図３】
2005237406.tif 000005
【図４】
2005237406.tif 000006
【図５】
2005237406.tif 000007
【図６】
2005237406.tif 000008
【図７】
2005237406.tif 000009